(57)【要約】      （修正有）【課題】開く時、長溝の潰し部が保護されて湾曲することなく、安定性及び耐久性が向上した極細多段折り畳み傘用の傘骨を提供する。【解決手段】極細多段折り畳み傘用の傘骨は、長溝１、短溝２、引き線骨５、引き線４及び尾骨６を備え、引き線骨と長溝が引き線骨ジョイント５１によって連結され、長溝の引き線骨との接合部位の内側に、引き線骨ジョイントに対応して設けられる凹状構造１４を有する。傘骨を開く時、長溝が引き線骨ジョイントを密に覆い、耐久性が向上し、長溝の潰し部が保護されて湾曲することなく、安定性が向上し、長溝と引き線骨が一直線となり、歪みが生じにくい。【選択図】図１
0003220787.tif 000002
【実用新案登録請求の範囲】
【請求項１】
長溝、短溝、引き線骨、引き線及び尾骨を備え、引き線骨と長溝が引き線骨ジョイントによって連結される極細多段折り畳み傘用の傘骨であって、
前記長溝の引き線骨との接合部位の内側に、引き線骨ジョイントに対応して設けられる凹部を有し、長溝には短溝とヒンジ連結されるためのヒンジ部を有し、前記ヒンジ部の前端には短溝を収容するための拡張部を有することを特徴とする極細多段折り畳み傘用の傘骨。
【請求項２】
前記長溝は、引き線骨との接合部位に、ハトメが設けられた扁平部を有し、前記引き線骨ジョイントは、該ハトメにヒンジ連結され、かつ該扁平部に覆われることを特徴とする請求項１に記載の極細多段折り畳み傘用の傘骨。
【請求項３】
前記扁平部の内側には、凹部を有する接合部を備え、前記凹部は、引き線骨ジョイントに対応して設けられる凹状構造であることを特徴とする請求項２に記載の極細多段折り畳み傘用の傘骨。
【請求項４】
前記拡張部の内壁の幅が短溝の外壁の幅よりも大きいことを特徴とする請求項１に記載の極細多段折り畳み傘用の傘骨。
【考案の詳細な説明】
【技術分野】
【０００１】
本考案は傘骨に関し、特に多段折り畳み傘の傘骨構造に関する。
【背景技術】
【０００２】
傘は、人々に日常的に使用される日よけ又は雨よけ用具として、人々の生活において必需品であり、現在使用されている傘は、使用目的によって、日傘、雨傘、ゴルフ傘に分類されるが、構造によって、直骨傘、多段折り畳み傘に分類される。
【０００３】
多段折り畳み傘は、その傘骨が、長溝、短溝、尾骨などを含む複数の節から構成されており、例えば、中国出願２００４２００１４７６７．１は、前端部がそれぞれ傘の上、下ロクロに枢接された主骨及び短骨を備え、前記短骨の後端部のジョイントがピン軸によって主骨の中部の孔部にヒンジ連結されており、さらに、一端が主骨における短骨との連結箇所の前端に固定された引張バネを備え、該引張バネの他端がピン軸に連結されており、前記孔部が長尺状孔であり、前記ピン軸が風力及び引張バネの共同作用で該長尺状孔部の長手方向に沿って往復摺動可能になっている多段折り畳み傘の耐風傘骨を開示した。また、中国出願２００７２００４８９９９．２に開示された多段折り畳み傘の傘骨は、主骨、挟み骨、短骨、支骨、長骨及び引き線を備え、該短骨が主骨と挟み骨との間に枢接され、該支骨、引き線が主骨と長骨との間に枢接され、該支骨には引き線に固定連結される可動のプラスチックチャックが嵌合されている。支骨に沿って移動可能なプラスチックチャック構造を追加することによって、支骨の連動を確保するための引き線を固定連結し、引き線をプラスチックチャックによって支骨に沿って摺動させることで伸縮して、引き線、支骨の磨耗を低減し、折りたたむ時に支骨からずれないようにするので、スムーズな折り畳み、良好な安定性という効果を有効に達成する。該出願で形成された傘骨構造は現在の製品に基本的に使用されている。
【０００４】
しかしながら、使用時において、傘骨間の結合がジョイント又はヒンジ連結構造のみによるため、構造の安定性が確保されておらず、特に、長溝が引き線骨ジョイントに緊密に結合せず、歪みやすくなっており、長溝の潰し部に湾曲が生じ、安定性が低く、長持ちできず、傘骨の使用寿命が縮まってしまう。
【先行技術文献】
【特許文献】
【０００５】
【特許文献１】中国出願２００４２００１４７６７．１
【特許文献２】中国出願２００７２００４８９９９．２
【考案の概要】
【考案が解決しようとする課題】
【０００６】
上記問題を解決するために、本考案の目的は、開く時、長溝が引き線骨ジョイントを密に覆い、歪みにくく、耐久性が向上し、長溝の潰し部が保護されて湾曲することなく、安定性及び耐久性が向上した極細多段折り畳み傘用の傘骨を提供することにある。
【０００７】
本考案のもう一つの目的は、傘骨の折り畳み空間を十分に使用することができ、閉傘後の体積が減少し、携帯及び使用に便利な極細多段折り畳み傘用の傘骨を提供することにある。
【０００８】
本考案のさらにもう一つの目的は、構造が簡単で、実現しやすく、極細多段折り畳み傘の傘骨構造として幅広く使用可能な極細多段折り畳み傘用の傘骨を提供することにある。
【課題を解決するための手段】
【０００９】
上述した目的を実現するために、本考案の技術的手段は下記通りである。
【００１０】
長溝、短溝、引き線骨、引き線及び尾骨を備え、引き線骨と長溝が引き線骨ジョイントによって連結される極細多段折り畳み傘用の傘骨は、前記長溝の引き線骨との接合部位の内側には引き線骨ジョイントに対応して設けられる凹部を有することを特徴としている。この設計により、傘骨を開くとき、長溝が引き線骨ジョイントを密に覆い、耐久性が向上し、長溝の潰し部が保護されて湾曲することなく、安定性が向上し、長溝と引き線骨が一直線となり、歪みが生じにくい。
【００１１】
前記長溝は引き線骨との接合部位にハトメが設けられた扁平部を有し、前記引き線骨ジョイントは該ハトメにヒンジ連結され、かつ該扁平部に覆われる。
【００１２】
前記扁平部の内側には凹状構造を有する接合部を備え、前記凹状構造は引き線骨ジョイントに対応して設けられ、傘骨を開く時、該ジョイントの一部が該凹状構造に収容される。
【００１３】
前記長溝には短溝にヒンジ連結されるためのヒンジ部を有し、前記ヒンジ部の前端には短溝を収容するための拡張部を有する。傘骨を閉じるとき、短溝の一部を該拡張部に収納することができ、上述した構造によって、傘骨が効果的に閉じられ、傘骨の体積が減少し、閉傘後の体積が小さくなり、携帯が便利になる。
【００１４】
さらに、短溝を収容すべく、前記拡張部の内壁の幅が短溝の外壁の幅よりも大きくなっている。
【００１５】
本考案に係る極細多段折り畳み傘用の傘骨は、傘骨を開く時、長溝が引き線骨ジョイントを密に覆い、耐久性が向上し、長溝の潰し部が保護されて湾曲することなく、安定性が向上し、長溝と引き線骨が一直線となり、歪みが生じにくい。
【００１６】
また、長溝と引き線骨の構造を改良することによって、傘骨の折り畳み空間を十分に使用することができ、閉傘後の体積が減少し、携帯及び使用が便利になる。
【００１７】
そして、該傘骨は、構造が簡単で、実現しやすく、極細多段折り畳み傘の傘骨構造として幅広く使用することができる。
【図面の簡単な説明】
【００１８】
【図１】本考案の閉傘状態の構造概略図である。
【図２】本考案の開傘状態の構造概略図である。
【図３】本考案の長溝の構造概略図である。
【図４】本考案の長溝の平面図である。
【図５】本考案の長溝と引き線骨との接合部位の構造拡大図である。
【考案を実施するための形態】
【００１９】
本考案の目的、技術的手段及び利点をより明確にするために、以下図面を参照しながら実施例によって本考案を詳細に説明する。ここで記載する具体的な実施例は本考案を説明するためのものであり、本考案を限定するためのものではないことは理解すべきである。
【００２０】
図１、図２に示されるように、本考案に係る極細多段折り畳み傘用の傘骨は、長溝１、短溝２、鋼線３、引き線骨５、引き線４及び尾骨６を備え、長溝１は、短溝２がヒンジ連結されるヒンジ部１１を有し、外端にハトメによって引き線骨ジョイント５１がヒンジ連結されており、引き線骨５は該引き線骨ジョイント５１に固定され、引き線４は長溝１に固定され、鋼線３は短溝２と引き線骨ジョイント５１との間に設けられている。
【００２１】
図３、図４に示されるように、前記長溝１には短溝２とヒンジ連結されるためのヒンジ部１１を有し、前記ヒンジ部１１の前端には短溝２及び短溝２と鋼線３との連結部を収容するための拡張部１５を有し、傘骨を閉じる時、短溝及び短溝と鋼線との連結部は部分的に該拡張部１５に収容されることができ、上述した構造によって、傘骨が効果的に閉じられ、傘骨の体積が減少し、閉傘後の体積が小さくなり、携帯が便利になる。拡張部１５により長溝のその部分が広くなり、閉傘後に短溝２を突き上げることなく、傘がより細くなる。
【００２２】
前記長溝１は引き線骨５との接合部位にハトメが設けられた扁平部１３を有し、前記引き線骨ジョイント５１は該ハトメにヒンジ連結され、かつ該扁平部１３に覆われる。通常は、引き線骨ジョイント５１には長溝の扁平部をちょうど覆うほどの凹溝を有し、このように装着される引き線骨ジョイントは長溝の扁平部１３を覆うことができ、引き線骨ジョイントを細く設計することができ、軽量化が図れる。
【００２３】
図５に示されるように、本考案は、扁平部１３の内側に、凹状構造１４を有する接合部１２を備え、該凹状構造１４は引き線骨ジョイント５１に対応して設けられ、傘骨を開く時に、該引き線骨ジョイント５１の一部が該凹状構造１４に収容される。
【００２４】
短溝２を収容すべく、前記拡張部１５の内壁の幅は短溝２の外壁の幅よりも大きくなっている。扁平部１３の一側を凹状構造１４にし、引き線骨ジョイント５１を収容することで、強固に覆うことができる。これにより、傘骨を開く時、長溝１が引き線骨ジョイント２１を密に覆い、耐久性が向上し、長溝１の潰し部（扁平部１３）が保護されて湾曲することなく、安定性が向上し、長溝１と引き線骨５が一直線をなすことができて、歪みが生じにくい。
【００２５】
さらに、図１に示されるように、閉傘時、短溝２と鋼線３が長溝１に近接し、この時、短溝２と鋼線３との連結部を拡張部１５内に可能な限り収納することができ、傘骨を効果的に閉じ、傘骨の体積を減少することができ、閉傘後には短溝２を突き上げることなく、傘がより細くなり、携帯が便利になる。
【００２６】
さらに、図２に示されるように、開傘後、長溝１、短溝２、引き線４、引き線骨５及び尾骨６がいずれも広げられ、この時、該凹状構造１４が引き線骨ジョイント５１に対応して配置され、傘骨を開く時に、該引き線骨ジョイント５１の一部が該凹状構造１４に収納され、凹状構造１４で引き線骨ジョイント５１を収容することで、強固に覆うことができ、構造が安定化され、そして、この構造により、設計の時に引き線骨ジョイント５１のサイズを減らすことができ、軽量化が実現できる。
【００２７】
したがって、本考案に係る極細多段折り畳み傘用の傘骨は、傘骨を開く時、長溝が引き線骨ジョイントを密に覆い、耐久性が向上し、長溝の潰し部が保護されて湾曲することなく、安定性が向上し、長溝と引き線骨が一直線となり、歪みが生じにくい。
【００２８】
また、本考案は、長溝及び引き線骨の構造を改良することにより、傘骨の折り畳み空間を十分に使用することができ、閉傘後の体積が低減し、携帯及び使用が便利になる。
【００２９】
そして、該傘骨は、構造が簡単で、実現しやすく、極細多段折り畳み傘の傘骨構造として幅広く使用することができる。
【００３０】
以上の説明は本考案の好ましい実施形態に過ぎず、本考案を限定するためのものではなく、本考案の精神及び原則内で行われる全ての修正、同等置換及び変更などは、いずれも本考案の保護範囲内に含まれるべきである。
【図１】
0003220787.tif 000003
【図２】
0003220787.tif 000004
【図３】
0003220787.tif 000005
【図４】
0003220787.tif 000006
【図５】
0003220787.tif 000007